(57)【要約】【課題】介護者等にとって履かせやすく、また着用するものにとっては防寒性、保温性があり、履き心地のよいユニバーサルデザインの室内履きを提供する。【解決手段】甲被部３に該甲被部３を横断する開口部３ｃを形成した室内履き１であって、上記開口部３ｃは、上蓋３ｂとなるつま先部側の生地の一部を、上記甲被部３の始端が露出するようにつま先方向に折り返して開口させる一方、折り返した上蓋３ｂとなるつま先部側の生地を、甲被部３側の生地の上方に被せて閉じるようにしている。【選択図】図１
2007105088.tif 000002
【特許請求の範囲】
【請求項１】
甲被部に該甲被部を横断する開口部を形成した室内履きであって、
上記開口部は、上蓋となるつま先部側の生地の一部を、上記甲被部の始端が露出するようにつま先方向に折り返して開口させる一方、折り返した上蓋となるつま先部側の生地を、甲被部側の生地の上方に被せて閉じるようにしている室内履き。
【請求項２】
請求項１に記載の室内履きにおいて、
上記上蓋はその両側端に結び紐を突出させるとともに、上記室内履きの底部の両側端には一対の紐通し部が形成されており、上記結び紐を上記一対の紐通し部を通じて結び止めするようにしている室内履き。
【請求項３】
請求項１又は請求項２において、
上記開口部は、面ファスナー或いはスライドファスナーで閉止するようにしている室内履き。
【請求項４】
請求項１〜３のいずれかにおいて、
上記室内履きは、伸縮性に富んだ足首部を更に設けている室内履き。
【請求項５】
請求項１〜４のいずれかにおいて、
上記底部は、熱可塑性ポリウレタンフィルムで製されている室内履き。
【発明の詳細な説明】
【技術分野】
【０００１】
本発明は、防寒性、保温性のある室内履きに関し、更に詳しくは、介護者等が介護を要するような高齢者や足の不自由な障害者等に履かせ易く、またこれを着用する者にとっては履き心地のよい、幅広い年代の人が使用可能なユニバーサルデザインの室内履きに関する。
【背景技術】
【０００２】
従来より、足先の冷え等を防ぐため、防寒性、保温性のあるスリッパや厚手の靴下、室内履きを着用することが知られている。例えば特許文献１には、足被覆部、足首被覆部及び底部が袋状に形成されており、その内部に羽毛が充填されてキルティングが施され、且つ足被覆部、足首被覆部の外側には表地が重ねられるとともに、上記底部の外側には底地が重ねられており、これら表地及び底地がそれぞれの縁部で上記袋状に形成された各部と止着され、保温性、吸湿性が考慮された室内履きが開示されている。
また、特許文献２には、足裏の形に似せ、かつ先端中央にＶ字状の切込を設けた底板と、この底板を底部とする周囲を起立させることによって履物本体の甲部及び側部を形成する延長部とからなり、底部と甲部と側部とが一体で底に縫い目がなく、バインダーシートや保形布地等によって、保形性が考慮された室内履きが開示されている。
【特許文献１】特開平８−１９６３０３号公報
【特許文献２】特開平１０−５００２号公報
【発明の開示】
【発明が解決しようとする課題】
【０００３】
しかしながら、特許文献１や特許文献２のものは、足の冷えを防ぎ、自ら履いたり脱いだりすることができる者にとっては、問題のない形状といえるが、靴下をはじめ、このような従来の室内履きは、つま先側が閉じられているため、自ら着用することが困難な者にとって、以下のような問題がある。
【０００４】
介護者等が上記のような履物を履かせる場合、つま先が閉じられていると、足先を所定の位置に持っていきにくいため、正しい状態に履かせ難く、また介護を要するような高齢者は、足の感覚が鈍い傾向にあり、寝たきりの老人や足が不自由な障害者等においては、例えば足の指が曲がった状態で靴下や室内履き等を着用していてもわからないことが多いため、正しい状態で履いていない場合には、足の指同士が擦れあって、床ずれのように皮膚がめくれてしまうなどの問題を生じている。このような現状から、介護者等にとって履かせ易く、また履かせたときの足の指の状態がわかり、着用者にとっては履き心地のよい室内履きが切望されている。
【０００５】
また、介護者のみならず着用する者にとっても、とかく脱いだり履いたりすることは面倒な作業である。したがって、洗い替えするとき以外は、一度履いたらできるだけ長時間履いたままでも快適に過ごせることが理想的といえ、起きているときだけでなく、履いたままで布団等に横になれるものや、室内履きとしてだけでなく車椅子等で外出する際にもおしゃれ感のあるものが望まれている状況にある。
【０００６】
つま先が閉じられていない履物としては、つま先が覆われていないスリッパが良く知られているが、このようなスリッパは高齢者や幼児にとっては滑りやすく、底が厚いため、歩行性が悪く、また履いたままで布団等に横になれるものではない。従来より冷え性で靴下を履いて寝る人がいるが、高齢者にとって靴下は、伸縮性があっても足の全体を隙間なく包み込むものであるため、常時着用すると、足のむくみを増長させる傾向となり、靴下を履いたままベッドなどで寝るのは望ましいとはいえない。
【０００７】
ところで一方、近年、「ユニバーサルデザイン」としてあらゆる人を対象にデザインされたものがあらゆる分野においてみかけられるようになったが、室内履きにおいては、まだこのようなものはほとんど考案されていない。
【０００８】
本発明は、上記実情に鑑みなされたものであり、介護者等にとって履かせやすく、また着用するものにとっては防寒性、保温性があり、履き心地のよい、ユニバーサルデザインの室内履きを提供することを目的としている。
【課題を解決するための手段】
【０００９】
請求項１の発明に係る室内履きにおいて、甲被部に該甲被部を横断する開口部は、上蓋となるつま先部側の生地の一部を、甲被部の始端が露出するようにつま先方向に折り返して開口させることが出来、また、折り返した上蓋となるつま先部側の生地を、甲被部側の生地の上方に被せて閉じるようにしている。
請求項２では、上蓋はその両側端に結び紐を突出させるとともに、上記室内履きの底部の両側端には一対の紐通し部が形成されているので、上蓋は、結び紐を上記一対の紐通し部を通じて結び止めするようにしているので、開口部が不用意に開くことはない。
【００１０】
また、請求項３の発明のように、上記開口部は、面ファスナー或いはスライドファスナーで閉じられるものとしてもよい。更に、請求項４の発明のように、伸縮性に富んだ足首部を備えているものとすることができ、請求項５の発明のように上記底部を、熱可塑性ポリウレタンフィルムで構成することができる。
【発明の効果】
【００１１】
請求項１の発明に係る室内履きによれば、甲被部を横断する開口部が形成されているため、介護者等が着用者へ履かせるときには、開口部から手を挿入し、着用者の足先を所定の位置へスムーズに導くことができるので、非常に履かせ易い。また、足先の着用状態が開口部を開けばすぐに確認できるため、足の指同士が重なった状態のままになるということを防ぐことができ、快適な状態で着用することができる。更に、甲被部の上蓋となるつま先部側の生地を甲被部側の生地の上方に被せて閉じるようにしているので、足と履物との間に十分な空間が形成され、靴下のような圧迫感はなく長時間着用できる。そして、開口部を閉止しておけば、外気が入りにくいので、防寒性があり保温性がよい一方、該上蓋となるつま先部側の生地は、つま先方向に折り返して開口可能なので、暑いときには、これを開いて温度調節をすることもできる。
【００１２】
請求項２の発明に係る室内履きによれば、上蓋の両端側に結び紐を突出させるとともに、一対の紐通し部を通じて結び紐を上蓋の上方でから紐を通して結ぶように構成されているため、開口部が着用者の動きによって、開いてしまうことがない。そして、紐を結ぶ強度や結び方を調節すれば、着用後の足のずれや、歩く際の足のぶれを防ぐ役割を担うことができ、足へのフィット感が増し、より一層歩行性のよいものとすることができる。
【００１３】
請求項３の発明に係る室内履きによれば、開口部は、面ファスナー或いはスライドファスナーで閉止するようにしているので、より簡易な構成で開口部を開閉可能とでき、また外気が入りにくいので、保温性を維持することができる。
【００１４】
請求項４の発明に係る室内履きによれば、伸縮性に富んだ足首部を設けているので、足首部分の隙間がなくなり、極めて保温性に優れ、足首の冷えも防ぐことができ、より一層保温性のよいものとすることができる。
【００１５】
請求項５の発明に係る室内履きによれば、底部には、熱可塑性ポリウレタンフィルムが用いられるので、柔軟性がありながら、防臭性、抗菌性、制菌性に優れた底部とすることができる。これにより底部をやわらかく構成できるので、着用者は、足の裏で床等を感じることができ、歩行性がよいので転倒事故を低減することができる。また、足に馴染み易いので長時間着用しても疲れを感じず、着用したまま寝ることができる。
【発明を実施するための最良の形態】
【００１６】
以下に本発明の最良の実施の形態について、図面に基づいて説明する。図１は本発明の室内履きの一例を示す斜視図、図２は該室内履きの底面の一例を示す平面図、図３は本発明の室内履きを着用した状態を示す斜視図、図４は本発明の別実施形態を示す平面図である。
【実施例１】
【００１７】
図１、図２は本発明の室内履きの一例を示すものであり、図３は本発明の室内履きを着用した状態を示している。ここで図３は着用状態がわかりやすいように着用者の足部分は透視図で示す。
本発明の室内履き１は、足先の挿入口となる足挿入部２と甲被部３と底部６とかかと部７とからなるものであって、足挿入部２から連なって形成される甲被部３には、これを横断する開口部３ｃが形成されており、開口部３ｃは、上蓋３ｂとなるつま先部側の生地の一部を、甲被部３の始端が露出するようにつま先方向に折り返して開口させることが出来、また、折り返した上蓋３ｂとなるつま先部側の生地を、甲被部３側の生地の上方に被せて閉じるようにしていることを特徴とする。
【００１８】
図１及び図３に示すように、本発明の室内履き１は、甲被部３を横断する開口部３ｃが形成されており、甲被部３は、足挿入部２から連なって足の甲を覆う甲覆部３ａと、つま先側となる上蓋３ｂとからなる。よって、例えば介護者等が着用者へ履かせるときには、上蓋３ｂとなるつま先部側の生地の一部を、甲被部３の始端が露出するようにつま先方向に折り返して開口させ、該開口部３ｃから手を挿入し、着用者の足先を持って、足挿入部２から所定の位置へスムーズに導くことができるので、非常に履かせ易く、開口部３ｃを開いた状態にしておけば、足先の着用状態をすぐに確認することができる。足の指同士が重なった状態で着用してしまった場合でも、開口部３ｃから足先が露出する状態となるので、指先を揃え直すことができ、着用者は快適な状態で着用することができる。またこのように本発明によれば、室内履き１を脱がずに足先を露出できるので、足指等を怪我した時は開口部３ｃを開いて治療、処置したり、或いは足先を拭くこともできる。健常者はもとより、高齢者にとって、一度履いたものを脱いだり履いたりする行為は労力がいるので、特に有効である。
【００１９】
また甲被部３の上蓋３ｂは、足のつま先を覆い且つ、上蓋３ｂとなるつま先部側の生地を、甲被部３側の生地、すなわち甲覆部３ａの上方に被せて閉じるようなっている。
この構成によれば、開口部３ｃから外気が入りにくいので、保温性をよくすることができ、足と履物との間に十分な空間が形成され、靴下のような圧迫感がなく、長時間に亘って着用しても足がむくんだりすることがない。また、内部空間に余裕がある構成なので、内側にポケットなどを設け、カイロを仕込むことが可能である。
そして足が蒸れたりする場合には、開口部３ｃを開けることにより温度調節することもできる。
【００２０】
室内履き１は、図に示すように、底部６の両側端６ａには一対の紐通し部４が形成されており、紐５を上記一対の紐通し部４を通じて結び止めするようにしている。なお、この構成はこれに限られず、紐通し部４を設けた部分を面ファスナーとし、紐５を太めのゴムとしてそのゴムの両端を面ファスナーで留めるようにしたものでもよい。
図１に示すように、該紐通し部４から紐５を通して足の甲で結ぶようにしたり、或いは足の甲でクロスさせ、足首の後ろで結び止めするようにしてもよい。これによれば、開口部３ｃが着用者の動きによって、開いてしまうことがなく、保温性を維持することができる。また、紐５を結ぶ強度を調節すれば、着用後の足のずれや、歩く際の足のぶれを防ぐ役割を担うことができる。更に、上蓋３ｂの両側端３ｄから紐５を突出させているので、開口部３ｃが開いてしまうようなことがなく、着用時のフィット感が増す。このように、紐５によって、室内履き１の足へのフィット感が高まると、歩きやすくなるので、特に高齢者等においては、転倒事故等を低減することができる。
【００２１】
更に図１（ａ）及び図２に示すように、足挿入部２は、足首を覆うように形成される足首部２ａを備えたものとしてもよい。また足挿入部２をくるぶしの下まで（不図示）のものとしてもよいことは言うまでもない。
このように、足首部２ａを備えたものとすれば、足首の冷えも防ぐことができ、より一層保温性のよいものとすることができる。特に高齢者においては、足さばきをよくするため、ズボンの丈を短めにすることが多いため、このように足首部２ａを備えたものが望ましい。またこの足首部２ａを構成する素材は特に限定するものではないが、伸縮性のあるもの（例えばリブニット、ニット）とすれば、履き易いものとすることができる。
【００２２】
ここで本発明の室内履き１を構成する素材は特に限定されるものではなく、綿、絹等の天然繊維や、ポリエステル、アクリル等の化学繊維等が適宜用いられ、保温性があり一般家庭で洗濯が可能な素材（例えばフリースや羽毛や綿の入ったキルティング等）が望ましく、素材に防水加工、防臭加工等を施せば、一層機能的なものとすることができる。また皮革製（天然皮やポリウレタン、ポリ塩化ビニル等の合成皮革）とすれば、室内履きに限定されず、車椅子の方等の外出用履物としても使用することができる。更に、着物の生地やシルク等を用いれば、おしゃれ感のあるものとすることができる。
【００２３】
底部６の素材も、上記と同様に限定するものではないが、滑りにくく且つ柔らかい任意の素材を用い、従来よりよく知られたスリッパの底部のように固いものでないことが望ましい。底部６の構成は特に限定するものではないが、複数層で形成する場合、外側の床面等と接する側（底部６下面）に、熱可塑性ポリウレタンフィルムを用いれば、柔軟性がありながら、防臭性、抗菌性、制菌性に優れたものとすることができる。熱可塑性ポリウレタンフィルムとしては、例えばモビロンフィルム（登録商標：日清紡社製）、ガイアコット（登録商標：日清紡社製）等が挙げられる。また底部６の足裏と接する側（底部６上面）は、フリースや起毛を有する素材を用いれば、暖かく履き心地のよいものとすることができる。
底部６をこのようにやわらかく構成すれば、室内履き１を着用していても、足の裏で床を感じることができ、足にフィットするので、特に高齢者や幼児の場合は、このような構成の方が歩きやすいため、転倒事故を低減することができる。また、底部６がやわらかく構成されていることにより、足に馴染み易いので着用したまま布団等で寝ても違和感がない。
【００２４】
以下に本発明の室内履き１の縫製工程について説明する。なお、縫製工程はこれに限られるものではなく、ここでは保温性、保形性をよくするため、甲被部３及び底部６は２層構造とした例を記載するが、これに限られない。
（縫製工程）
１）まず少なくとも底部６、上蓋３ｂと甲覆部３ａとでなる甲被部３、足挿入口部２になる足首部２ａを型にあわせてそれぞれ裁断する。底部６は床面と接する側と足裏と接する側との２枚を型にあわせて裁断する。
２）底部６の床面と接する側の生地（図１（ｂ）参照）は、その周囲をパイピングの生地で縁取りする。
３）甲覆部３ａの後ろ部分を縫い合わせ、かかと部７を形成し、２枚を中表に重ねて縫製する。この縫い合わせたものの足挿入口部２となる側に足首部２ａ（例えば２つ折りのリブニット）を挟み込んで縫い合わせ、表に返す。
４）上蓋３ｂは、その両端部３ｄから紐５が突出されるよう、紐を通す部位が形成されるよう縫っておく。
５）上記２）の底部６の足裏と接する側の上に上記３）及び４）をのせ、パイピングの生地でくるみ込んで縁を縫い合わせる。このとき、紐通し部４を底部６の両端部６ａの適所にループ状に挟み込んで一緒に縫う。
７）紐通し部４と上蓋３ｂに形成した紐を通す部位に紐５を通し、足の甲にあたるところで紐５を結ぶ（図１（ａ）参照）。
【実施例２】
【００２５】
図４は本発明の別の実施形態を示すものであり、図４に示す室内履き１は、開口部３ｃが、面ファスナーＡで閉じられるようにしたことを特徴とするものである。従って、上蓋３ｂの裏面と甲覆部３ａの生地の上面には面ファスナーＡが縫い付けられる。
これによれば、室内履き１内への外気がより一層入りにくくなるので、保温性がよくなる。なお、図示していないが、開口部３ｃはスライドファスナーによって開閉可能とする構成としても、同様の効果を得ることができる。また図４の例では、面ファスナーＡを設けると共に、紐５も設けているが、紐５がないものとしてもよい。
その他の構成は、上記実施例１と同様であるので共通部分に同一の符号を付しその説明を割愛する。
【００２６】
以上、本発明の室内履きは、室内履きとして素足の上から履く他、靴下の上から重ねて履いても使用することができ、カラフルな布地やさまざまな素材を組み合わせて縫製すれば、ファッション性の高いものとすることができる。また本発明の使用対象者は、介護を要するような者や足の不自由な障害者等に限定されず、歩くのがおぼつか無い幼児から大人まで、年代を問わずに使用できるものである。
【図面の簡単な説明】
【００２７】
【図１】本発明の室内履きの一例を示す斜視図である。
【図２】本発明の室内履きの底面の一例を示す平面図である。
【図３】本発明の室内履きを着用した状態を示す斜視図である。
【図４】本発明の別実施形態を示す平面図である。
【符号の説明】
【００２８】
１    室内履き
２    足挿入部
２ａ  足首部
３    甲被部
３ａ  甲覆部
３ｂ  上蓋
３ｃ  開口部
４    紐通し部
５    紐
６    底部
７    かかと部
【図１】
2007105088.tif 000003
【図２】
2007105088.tif 000004
【図３】
2007105088.tif 000005
【図４】
2007105088.tif 000006